(57)【要約】【課題】ワイヤレス信号を受信するワイヤレス受信器の容易な増設を可能とする。【解決手段】ワイヤレス送信器４０から送信されるアドレスデータ、制御データを添付したワイヤレス信号を受信し、受信したワイヤレス信号に添付されたアドレスデータ、制御データを、信号線Ｌｓを介して伝送ユニット１０に選択的に伝送するよう制御する信号線Ｌｓに直接接続されたワイヤレス受信器３０を備えることで実現する。【選択図】図３
2007150609.tif 000002
【特許請求の範囲】
【請求項１】
伝送ユニットと、前記伝送ユニットに信号線を介して接続された負荷を制御する負荷制御端末器とを備え、前記伝送ユニットより前記信号線に多重伝送方式で伝送される伝送信号により、前記負荷制御端末器に設定されたアドレスデータで特定される前記負荷を制御する遠隔監視制御システムにおいて、
ワイヤレス送信器から送信されるアドレスデータ、制御データを添付したワイヤレス信号を受信する受信手段と、
前記受信手段によって受信されたワイヤレス信号に添付されたアドレスデータ、制御データを、前記信号線を介して前記伝送ユニットに選択的に伝送するよう制御する制御手段とを備える前記信号線に直接接続されたワイヤレス受信器を備えること
を特徴とする遠隔監視制御システム。
【請求項２】
前記ワイヤレス送信器は、
前記アドレスデータ、制御データを添付したワイヤレス信号を送信する送信手段と、
前記送信手段で送信するワイヤレス信号を所望のワイヤレス受信器で選択的に受信可能とするサブアドレスデータを、前記送信手段で送信するワイヤレス信号に添付するサブアドレス添付手段とを有し、
前記ワイヤレス受信器は、前記受信手段で受信されたワイヤレス信号に添付されたサブアドレスデータを認証する認証処理手段を有し、
前記アドレス受信器の制御手段は、前記認証処理手段によって、前記サブアドレスデータが認証された場合にのみ、前記受信手段で受信されたワイヤレス信号からアドレスデータ、制御データを取得して、前記伝送ユニットに伝送するよう制御すること
を特徴とする請求項１記載の遠隔監視制御システム。
【請求項３】
前記ワイヤレス送信器から送信されるアドレスデータ、制御データを添付したワイヤレス信号を受信して、所定のワイヤレス信号線を介して前記ワイヤレス受信器に伝送するワイヤレス子受信器を備え、
前記ワイヤレス受信器の制御手段は、前記受信手段で受信されたワイヤレス信号、又は前記ワイヤレス子受信器から前記ワイヤレス信号線を介して伝送されたワイヤレス信号からアドレスデータ、制御データを取得して、前記伝送ユニットに伝送するよう制御すること
を特徴とする請求項１記載の遠隔監視制御システム。
【発明の詳細な説明】
【技術分野】
【０００１】
本発明は、時分割多重伝送方式によって伝送される所定の制御信号にて負荷を制御する遠隔監視制御システムに関する。
【背景技術】
【０００２】
負荷を制御する複数の制御端末器をそれぞれ一意に特定する固有のアドレスに対して、このアドレスを割り当てられた操作端末器のスイッチ操作に応じて、制御データを含む制御信号を多重伝送方式により送信することで、制御端末器に接続された負荷を制御する遠隔制御（遠隔監視制御）を行う遠隔監視制御システムが考案されている（例えば、特許文献１。）。
【０００３】
この遠隔監視制御システムは、例えば、店舗や工場、倉庫などといった広い空間に設けられた負荷である複数の照明器具を集中制御することができる照明制御システムである。このような、照明制御システムは、複数の照明器具をワイヤレス送信器で自在に遠隔操作したり、複数の照明器具の点灯、非点灯を一括して制御することができるユーザ利便性の高い制御システムとなっている。
【特許文献１】特開平９−１４９４７８号公報
【発明の開示】
【発明が解決しようとする課題】
【０００４】
ところで、上述したような遠隔監視制御システムにおいて、ワイヤレス送信器より送信されるワイヤレス信号を受信して、負荷を制御する構成とした場合、ワイヤレス信号に含まれるアドレスデータで特定される制御端末器に対して、正確に制御データを含む制御信号を送信するための信号制御を担うワイヤレス信号中継端末器を用いる必要がある。よって、ワイヤレス送信器より送信されるワイヤレス信号を受信するワイヤレス受信器は、ワイヤレス信号中継端末器を介して信号線に接続されることになる。
【０００５】
このように、ワイヤレス信号の送受信によって遠隔監視制御システムの負荷制御を実行する場合には、ワイヤレス信号中継端末器が必要となるため、遠隔監視制御システムの設置空間のレイアウト変更などにより、所望の箇所から送信されるワイヤレス信号を受信可能とするために、ワイヤレス受信器を増設しようとした場合、ワイヤレス信号中継端末器とワイヤレス受信器とを接続するための専用のワイヤレス信号線を別途配線しなくてはならず、ワイヤレス受信器を容易に増設させることが難しいといった問題がある。
【０００６】
そこで、本発明は、上述した実情に鑑みて提案されたものであり、ワイヤレス信号を受信するワイヤレス受信器を容易に増設することができる遠隔監視制御システムを提供することを目的とする。
【課題を解決するための手段】
【０００７】
本発明の遠隔監視制御システムは、伝送ユニットと、前記伝送ユニットに信号線を介して接続された負荷を制御する負荷制御端末器とを備え、前記伝送ユニットより前記信号線に多重伝送方式で伝送される伝送信号により、前記負荷制御端末器に設定されたアドレスデータで特定される前記負荷を制御する遠隔監視制御システムにおいて、ワイヤレス送信器から送信されるアドレスデータ、制御データを添付したワイヤレス信号を受信する受信手段と、前記受信手段によって受信されたワイヤレス信号に添付されたアドレスデータ、制御データを、前記信号線を介して前記伝送ユニットに選択的に伝送するよう制御する制御手段とを備える前記信号線に直接接続されたワイヤレス受信器を備えることで、上述の課題を解決する。
【発明の効果】
【０００８】
本発明によれば、ワイヤレス信号を受信するワイヤレス受信器を容易に増設することを可能とする。
【発明を実施するための最良の形態】
【０００９】
以下、本発明の実施の形態について図面を参照して説明する。まず、本発明の実施の形態について説明する前に、図１を用いて、ワイヤレス信号中継端末器を介してワイヤレス受信器を接続する遠隔監視制御システム６０について説明をする。
【００１０】
図１に示すように、遠隔監視制御システム６０は、伝送ユニット１０と、多重伝送スイッチ端末器１１と、負荷である照明器具１３が図示しないリレーＲｙを介して接続され、この負荷を制御する複数のリレー端末器１２と、複数のワイヤレス受信器１５が接続されたワイヤレス信号中継端末器１４とが、２線式の信号線Ｌｓを介して接続されてなり、多重伝送スイッチ端末器１１、又はワイヤレス送信器２０の操作に応じて、所望の照明器具１３の点灯、消灯制御を実行することができる。
【００１１】
このような、遠隔監視制御システム６０は、以下に示すようなフォーマットの信号を伝送することで負荷に対する所望の制御を実現する。
【００１２】
伝送ユニット１０は信号線Ｌｓに対して、図２（ａ）に示すフォーマットの伝送信号Ｖｓを送出する。図２（ａ）に示すように、伝送信号Ｖｓは、信号の送出開始を示すスタートパルスＳＴ、信号のモードを示すモードデータＭＤ、各端末器を個別に認識するためのアドレスデータＡＤ、照明器具１３などの負荷を制御する制御データＣＤ、伝送誤りを検出するためのチェックサムデータＣＳ、各端末器からの返送信号（監視データ）を受信するタイムスロットである信号返送期間ＷＴよりなる双極性（±２４Ｖ）の時分割多重信号である。このようなフォーマットの伝送信号Ｖｓは、図２（ｂ）に示すように、パルス幅変調によって変調されて伝送される。
【００１３】
多重伝送スイッチ端末器１１、リレー端末器１２、ワイヤレス信号中継端末器１４は、信号線Ｌｓを介して受信された伝送信号Ｖｓに含まれるアドレスデータＡＤが自己のアドレスと一致したときに、その伝送信号Ｖｓの制御データＣＤを取り込むと共に、伝送信号Ｖｓの信号返送期間ＷＴに同期して監視データを電流モード信号（信号線Ｌｓの線間を適当な低インピーダンスを介して短絡して送出される信号）として返送する。
【００１４】
伝送ユニット１０は、図示しないダミー信号送信部と、割り込み処理部とを備えている。ダミー信号送信部は、モードデータＭＤをダミーモードとしてアドレスデータＡＤをサイクリックに変えた伝送信号Ｖｓを常時送出する常時ポーリングを実行する。一方、割り込み処理部は、ダミーモードの伝送信号ＶｓのスタートパルスＳＴに同期して、多重伝送スイッチ端末器１１、又はワイヤレス信号中継端末器１４から図２（ｃ）に示すような割り込み信号Ｖｉが発生した時に、割り込み信号Ｖｉを発生した多重伝送スイッチ端末器１１、又はワイヤレス信号中継端末器１４へアクセスして監視データを返送させる。
【００１５】
伝送ユニット１０は、返送されたこの監視データに基づいて、対応する負荷を制御するリレー端末器１２への制御データＣＤを生成すると共に、その制御データＣＤを信号線Ｌｓを介して時分割多重伝送することで、所望の負荷である照明器具１３の消灯、点灯を制御する。
【００１６】
例えば、ワイヤレス送信器２０の操作スイッチ２１が操作されると、ワイヤレス送信器２０から操作スイッチ２１に設定されたアドレスデータを含むワイヤレス信号が送信される。ワイヤレス信号中継端末器１４は、ワイヤレス受信器１５を介してワイヤレス信号を受信すると、割り込み信号Ｖｉを信号線Ｌｓに送出する。
【００１７】
伝送ユニット１０は、この割り込み信号Ｖｉに応じて、割り込みをかけたワイヤレス信号中継端末器１４のアドレスをサーチするための伝送信号Ｖｓを送出する。割り込みをかけたワイヤレス信号中継端末器１４は、伝送ユニット１０によりアクセスされた場合に、自己の固有アドレスを監視データとして返信する。
【００１８】
この監視データを受け取った伝送ユニット１０は、割り込みをかけたワイヤレス信号中継端末器１４を判定して、次に当該ワイヤレス信号中継端末器１４のアドレスデータＡＤを持つ伝送信号Ｖｓを送出してアクセスをし、ワイヤレス信号に含まれる操作データとアドレスデータを監視データとして返送させる。
【００１９】
伝送ユニット１０は、この監視データとして返送されたワイヤレス送信器２０の操作データに基づいて制御データＣＤを生成すると共に、同じく監視データとして返送されたアドレスデータに基づいて、あらかじめこのアドレスデータと対応付けて記憶されているテーブルを参照して、制御対象となる照明器具１３に接続された図示しないリレーＲｙを制御するリレー端末器１２へ制御データＣＤを届けるためのアドレスデータＡＤを取得する。
【００２０】
伝送ユニット１０は、このようにして生成した制御データＣＤと、取得したアドレスデータＡＤを含む伝送信号Ｖｓを、信号線Ｌｓを介して時分割多重伝送する。この伝送信号ＶｓのアドレスデータＡＤで特定されるリレー端末器１２は、同じく伝送信号Ｖｓの制御データＣＤに基づき、ワイヤレス送信器２０の操作により指定された照明器具１３を点灯、消灯制御する。
【００２１】
以上を踏まえて、以下に、本発明の実施の形態として示す遠隔監視制御システムについて説明をする。
【００２２】
［第１の実施の形態］
続いて、図３を用いて、本発明の第１の実施の形態として示す遠隔監視制御システム１について説明をする。なお、遠隔監視制御システム１を説明するにあたり、上述した遠隔監視制御システム６０と重複する機能部については、同一符号を付して説明を省略する。
【００２３】
図３に示すように、第１の実施の形態として示す遠隔監視制御システム１は、伝送ユニット１０と、多重伝送スイッチ端末器１１と、負荷である照明器具１３が図示しないリレーＲｙを介して接続された複数のリレー端末器１２と、複数のワイヤレス受信器３０（例えば、ワイヤレス受信器３０Ａ、３０Ｂ、３０Ｃ）とが、２線式の信号線Ｌｓを介して接続されてなり、ワイヤレス送信器４０から送信されるワイヤレス信号に応じて、所望の照明器具１３の点灯、消灯制御を実行することができる。
【００２４】
この遠隔監視制御システム１は、上述した遠隔監視制御システム６０では、ワイヤレス信号中継端末器１４を介して専用のワイヤレス信号線Ｌｗによって接続されていたワイヤレス受信器１５に代えて、ワイヤレス受信器３０をダイレクトで信号線Ｌｓに接続させている。
【００２５】
このように、ワイヤレス受信器３０を、ダイレクトで信号線Ｌｓに接続させるように構成した場合、当該遠隔監視制御システム１を構築するにあたり、部屋の天井空間の至る所に敷設される信号線Ｌｓを利用することができるため、ユーザの所望する位置へワイヤレス受信器３０をほぼ確実に設置することができる。しかしながら、複数のワイヤレス受信器３０を信号線Ｌｓに接続させた場合、ワイヤレス受信器３０の設置位置や、ワイヤレス信号を送信する方向などによってワイヤレス送信器４０から送信されるワイヤレス信号を２つ以上のワイヤレス受信器３０で同時に受信してしまうことが考えられる。
【００２６】
例えば、ワイヤレス送信器４０から送信されたワイヤレス信号が、図３に示すワイヤレス受信器３０Ａ、３０Ｂで受信されてしまった場合、受信されたワイヤレス信号に応じて、ワイヤレス受信器３０Ａ、３０Ｂから送信される割り込み信号が同時に伝送ユニット１０へ到達することはまれで、到達時間に多少のタイムラグが生じてしまう。このような場合、伝送ユニット１０に到達する信号波形のズレなどにより正常な通信が困難となってしまう可能性が高い。
【００２７】
そこで、本発明の第１の実施の形態として示す遠隔監視制御システム１では、ワイヤレス送信器４０から送信されるワイヤレス信号が、ユーザが指定したワイヤレス受信器３０のみに選択的に受信できるような構成とすることで、ワイヤレス信号中継端末器１４を設けずに、ワイヤレス受信器３０を信号線Ｌｓにダイレクトに接続させた場合であっても確実に負荷制御を実行できるようにしている。
【００２８】
具体的には、ワイヤレス送信器４０から送信されるワイヤレス信号が、指定したワイヤレス受信器３０でのみ受け取ることができるように、アドレスデータの他に、ワイヤレス受信器３０を指定するサブアドレスデータをワイヤレス信号に含ませるようにする。各ワイヤレス受信器３０は、自身を特定するサブアドレスデータをあらかじめ保持しており、ワイヤレス送信器４０から送信されるワイヤレス信号を受信すると、このワイヤレス信号のサブアドレスデータを読み出して認証処理をする。
【００２９】
ワイヤレス受信器３０は、このサブアドレスデータが認証された場合にのみ、受信したワイヤレス信号を有効であるとして、割り込み信号Ｖｉを信号線Ｌｓを介して伝送ユニット１０に送信することになる。
【００３０】
（ワイヤレス送信器４０、ワイヤレス受信器３０の構成）
次に、図４を用いて、ワイヤレス送信器４０とワイヤレス受信器３０との構成について説明をする。
【００３１】
図４に示すように、ワイヤレス送信器４０は、複数の押下ボタンからなる操作スイッチ４１と、ワイヤレス信号で送信するサブアドレスデータを切り換える切換スイッチ４２と、赤外線の発光により赤外線信号をワイヤレス受信器３０に送信する発光部４３と、送信するデータに基づき赤外線を変調する変調部４４と、当該ワイヤレス送信器４０を統括的に制御する信号処理部４５と、信号処理部４５によって実行される各種プログラムや各種データを記憶しているメモリ４６とを備え、内蔵された電池などの電源４７により駆動する。
【００３２】
また、メモリ４６は、送信するワイヤレス信号をワイヤレス受信器３０で選択的に受け取ることができるようにするためのサブアドレスデータを記憶している。このサブアドレスデータは、当該遠隔監視制御システム１の信号線Ｌｓにダイレクトに接続されているワイヤレス受信器３０の数だけ用意されており、切換スイッチ４２に応じて、信号処理部４５から対応するサブアドレスが読み出されることになる。
【００３３】
なお、切換スイッチ４２をディップスイッチなどとすれば、サブアドレスをディップスイッチから直接出力することができるため、メモリ４６への記憶させておく必要がなくなる。
【００３４】
このような、ワイヤレス送信器４０は、信号処理部４５の制御により、操作スイッチ４１の各押下ボタンが押下されたことに応じて、この押下ボタンにそれぞれ割り当てられている遠隔監視制御システム１の照明器具１３を特定するアドレスデータと、照明器具１３を消灯させるのか点灯させるのかを指示する制御データである操作データとを含むワイヤレス信号を送信する。このとき、信号処理部４５は、切換スイッチ４２の状態に応じて、メモリ４６からサブアドレスデータを読み出しワイヤレス信号に添付して送信する。
【００３５】
このような、ワイヤレス送信器４０は、例えば、ＩｒＤＡ（Infrared Data Association）で策定された規格に基づき、８５０〜９００ｎｍの近赤外線を利用してワイヤレス受信器３０との赤外線通信を行う。
【００３６】
これに対して、ワイヤレス受信器３０は、発光部４３で発光され赤外線を受光することで、赤外線信号を受信する受光部３１と、受信した赤外線信号に変調されているデータを復調して取り出す復調部３２と、当該ワイヤレス受信器３０を統括的に制御する信号処理部３３と、ワイヤレス送信器４０から送信されるワイヤレス信号が、自身宛のワイヤレス信号であることを識別するためのサブアドレスデータを出力するディップスイッチなどである切換スイッチ３４とを備えており、信号線Ｌｓにダイレクトに接続されている。
【００３７】
切換スイッチ３４は、スイッチの設定状態により任意のサブアドレスデータを出力することができるが、当該遠隔監視制御システム１を構築する際に、信号線Ｌｓにダイレクトに接続されたワイヤレス受信器３０が互いに異なるサブアドレスデータを有するように設定をする。
【００３８】
信号処理部３３は、復調部３２を制御して、受光部３１で受信された赤外線信号であるワイヤレス信号を復調し、このワイヤレス信号に添付されているサブアドレスデータ、アドレスデータ、操作データを取得する。
【００３９】
また、信号処理部３３は、サブアドレスデータを取得したことに応じて、取得したサブアドレスデータが、切換スイッチ３４から出力されているサブアドレスデータと一致するかどうか認証処理をする。
【００４０】
信号処理部３３は、互いにサブアドレスデータが一致した場合には、自身宛のワイヤレス信号であると判断して、割り込み信号Ｖｉを信号線Ｌｓを介して伝送ユニット１０に送出して、伝送信号Ｖｓを介した伝送ユニット１０との通信を開始して、負荷である照明器具１３を制御するための一連のルーチンを開始する。
【００４１】
信号処理部３３は、互いにサブアドレスデータが一致しない場合には、自身宛のワイヤレス信号でないと判断して、ワイヤレス送信器４０から送信されたワイヤレス信号を無視する。
【００４２】
［第１の実施の形態の効果］
このように、本発明の第１の実施の形態として示す遠隔監視制御システム１は、ワイヤレス送信器４０から送信するワイヤレス信号に、ワイヤレス信号を受け取らせたいワイヤレス受信器３０のサブアドレスデータを選択的に添付することにより、信号線Ｌｓにワイヤレス受信器３０をダイレクトに接続させた場合でも、誤動作を誘因することなく負荷である照明器具１３を良好に制御することができる。
【００４３】
したがって、上述した遠隔監視制御システム６０のようなワイヤレス信号中継端末器１４や専用のワイヤレス信号線Ｌｗなどを用いる必要がないことからシステム構築時の大幅なコストダウンと、信号線Ｌｓを利用することによるワイヤレス受信器３０の設置自由度を確保することができる。
【００４４】
［第２の実施の形態］
次に、図５を用いて本発明の第２の実施の形態として示す遠隔監視制御システム２について説明をする。なお、遠隔監視制御システム２を説明するにあたり、上述した遠隔監視制御システム６０と重複する機能部については、同一符号を付して説明を省略する。
【００４５】
図５に示すように、第２の実施の形態として示す遠隔監視制御システム２は、伝送ユニット１０と、多重伝送スイッチ端末器１１と、負荷である照明器具１３が図示しないリレーＲｙを介して接続された複数のリレー端末器１２と、ワイヤレス親受信器５０とが、２線式の信号線Ｌｓを介して接続されている。また、ワイヤレス親受信器５０には、複数のワイヤレス子受信器５１が、専用のワイヤレス信号線Ｌｗを介して接続されている。
【００４６】
このような、遠隔監視制御システム２は、ワイヤレス送信器２０から送信されるワイヤレス信号に応じて、所望の照明器具１３の点灯、消灯制御を実行することができる。
【００４７】
この遠隔監視制御システム２は、上述した遠隔監視制御システム６０では、ワイヤレス信号中継端末器１４を介して、専用のワイヤレス信号線Ｌｗによって接続されていたワイヤレス受信器１５に代えて、ワイヤレス親受信器５０のみをダイレクトで信号線Ｌｓに接続させ、このワイヤレス親受信器５０をマスターとするスレーブであるワイヤレス子受信器５１を、専用のワイヤレス信号線Ｌｗで接続している。
【００４８】
遠隔監視制御システム２は、上述した第１の実施の形態として示す遠隔監視制御システム１のように、全てのワイヤレス受信器３０をダイレクトで信号線Ｌｓに接続していないが、ワイヤレス信号中継端末器１４を使用しないため、システムを構築する際のコストを大幅に削減することができると共に、遠隔監視制御システム６０よりも比較的容易に複数のワイヤレス子受信器５１を設置することができる。
【００４９】
この遠隔監視制御システム２でも、ワイヤレス親受信器５０と、複数のワイヤレス子受信器５１というように、ワイヤレス送信器２０から送信されるワイヤレス信号を受信する受信器を複数備える構成となっている。したがって、上述したような、各ワイヤレス受信器の設置位置や、ワイヤレス信号を送信する方向などによってワイヤレス送信器２０から送信されるワイヤレス信号を２つ以上のワイヤレス受信器で同時に受信してしまうことが考えられる。しかしながら、この遠隔監視制御システム２は、信号線Ｌｓへと信号を出力するワイヤレス受信器が、ワイヤレス親受信器５０のみであるため、タイムラグを生じながら伝送ユニット１０へ信号が送信されてしまうといったことを回避することができる。
【００５０】
つまり、ワイヤレス親受信器５０及び複数のワイヤレス子受信器５１で、ワイヤレス送信器２０から送信された同じワイヤレス信号を受信した場合であっても、ワイヤレス子受信器５１で受信されたワイヤレス信号は、必ずワイヤレス親受信器５０へ送出され、一つのワイヤレス信号として扱われることになる。言い換えれば、ワイヤレス親受信器５０は、自身で受信したワイヤレス信号、複数のワイヤレス子受信器５１で受信されたワイヤレス信号を選択的に信号線Ｌｓへ送出している。
【００５１】
このように、ワイヤレス親受信器５０は、ワイヤレス子受信器５１でほぼ同時に受信された一つのワイヤレス信号として取り纏め、ワイヤレス信号を受信したことに応じて、割り込み信号Ｖｉを信号線Ｌｓを介して伝送ユニット１０に送出する。そして、伝送信号Ｖｓを介した伝送ユニット１０との通信を開始して、負荷である照明器具１３を制御するための一連のルーチンを開始する。
【００５２】
［第２の実施の形態の効果］
このように、本発明の第２の実施の形態として示す遠隔監視制御システム２は、信号線Ｌｓにダイレクトにワイヤレス親受信器５０のみを接続させ、それ以上のワイヤレス受信器を設ける場合には、このワイヤレス親受信器５０をマスターとした場合のスレーブに相当するワイヤレス子受信器５１を専用のワイヤレス信号線Ｌｗで接続させる。これにより、ワイヤレス送信器２０から送信される同一のワイヤレス信号が、各ワイヤレス受信器で同時に受信されたとしても、伝送ユニット１０との通信は、ワイヤレス親受信器５０によりなされるため、誤動作を誘因することなく負荷である照明器具１３を良好に制御することができる。
【００５３】
したがって、上述した遠隔監視制御システム６０のようなワイヤレス信号中継端末器１４を用いる必要がないことからシステム構築時の大幅なコストダウンと、ワイヤレス子受信器５１の設置自由度を確保することができる。
【００５４】
また、この遠隔監視制御システム２は、信号線Ｌｓには、ワイヤレス親受信器５０のみが接続されていることから、第１の実施の形態として示した遠隔監視制御システム１のように、ワイヤレス送信器４０の切換スイッチ４２の操作、ワイヤレス受信器３０の切換スイッチ３４の設定といった作業をする必要がなく、所望の照明器具１３のアドレスが割り当てられたワイヤレス送信器２０の操作スイッチ２１を操作して、ワイヤレス親受信器５０、又は任意のワイヤレス子受信器５１へ向けて、ワイヤレス信号を送信するだけで所望の照明器具１３を制御することができる。
【００５５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５６】
【図１】本発明の実施の形態として示す遠隔監視制御システムの発想の基礎となる遠隔監視制御システムの構成について説明するための図である。
【図２】前記遠隔監視制御システムにおいて伝送される伝送信号のフォーマットについて説明するための図である。
【図３】本発明の第１の実施の形態として示す遠隔監視制御システムの構成について説明するための図である。
【図４】前記遠隔監視制御システムのワイヤレス送信器とワイヤレス受信器の構成について説明するための図である。
【図５】本発明の第２の実施の形態として示す遠隔監視制御システムの構成について説明するための図である。
【符号の説明】
【００５７】
１  遠隔監視制御システム
２  遠隔監視制御システム
１０  伝送ユニット
１１  多重伝送スイッチ端末器
１２  リレー端末器
１３  照明器具
３０  ワイヤレス受信器
３１  受光部
３２  復調部
３３  信号処理部
３４  切換スイッチ
４０  ワイヤレス送信器
４１  操作スイッチ
４２  切換スイッチ
４３  発光部
４４  変調部
４５  信号処理部
４６  メモリ
４７  電源
５０  ワイヤレス親受信器
５１  ワイヤレス子受信器
【図１】
2007150609.tif 000003
【図２】
2007150609.tif 000004
【図３】
2007150609.tif 000005
【図４】
2007150609.tif 000006
【図５】
2007150609.tif 000007